(57)【特許請求の範囲】
【請求項１】
胴部２上端へ外周部を巻締め３した頂板の中央部を貫通して、下降により開弁する吐出弁を下端に有するステム４を上方付勢して起立するエアゾール缶本体１と、上記巻締め３へ、頂壁11外周から垂下する周壁12下端部を嵌着させると共に、上記ステムとステム後方部分との上方偏心頂壁部分を大きく円形に開口13して、該開口周縁からガイド筒14を垂下し、かつ頂壁11上面の前後方向直径部分に凹溝16を、開口前方凹溝部分16a は浅く、かつ開口後方凹溝部分16b は深く穿設した肩カバー10と、上記ガイド筒14内へ嵌合させた上面閉塞の摺動筒21上端から前方突設したノズル22を、該ノズル下面を溝底面に接して開口前方凹溝部分16a 内へ嵌合させると共に、該ノズルのノズル孔22a を後方延長して上記摺動筒の後部内面に縦設した内筒23の筒孔23a 上端と連続させた噴霧ヘッド20とからなり、該噴霧ヘッドを引上げ、肩カバーに対し回動させてノズル22を開口後方凹溝部分16a 内へ浅く嵌合させたとき、内筒筒孔23a の下部内へステム４が気密に、かつステム上端面が筒孔下部内面に付形した下向き段部23b に接して嵌合し、該状態からの噴霧ヘッド押下げによるステム４の下降で上記吐出弁が開弁可能に形成したことを特徴とするエアゾール式噴霧器。
【請求項２】
ガイド筒14の上部内面と摺動筒21の下端部外面とに、噴霧ヘッド20引上げによりノズル22下面が肩カバー頂壁11の上面と同一ないし該上面よりも高く引上げられたとき、互いに係合する係合手段15，24を設けたことを特徴とする、請求項１記載のエアゾール式噴霧器。
【発明の詳細な説明】
【０００１】
【産業上の利用分野】
本発明は、エアゾール式の噴霧器に関する。
【０００２】
【従来の技術】
噴霧ヘッド押下げにより、エアゾール缶本体の頂板中央部を貫通して起立してその噴霧ヘッドを上端に嵌合するステムが下降し、するとステム下端の吐出弁が開いて上記ヘッドのノズルから噴霧し、又その押下げ解放によるステムおよび噴霧ヘッドの上昇で吐出弁が閉じ噴霧が停止するよう設けたエアゾール式噴霧器は広く多用されているが、特に輸送時において他物に触れて噴霧ヘッドが押下げられ、無用の噴霧をすることを防止するため、別に設けたキャップを嵌合させて該キャップを外さなければ噴霧ヘッドの押下げが出来ないよう設けている。
【０００３】
【発明が解決しようとする課題】
本発明は、エアゾール缶本体上部に肩カバーを、又該肩カバーに噴霧ヘッドを嵌合させて、輸送時等は液体噴出管としてのステムから噴霧ヘッドを外しておき、使用時、肩カバーに対し噴霧ヘッドを回し押下げるとステムに噴霧ヘッドが嵌合して、そのまま噴霧ヘッドを続けて押下げることで噴霧可能としたものであり、従来使用されていたキャップを不要とし、又子供の悪戯等が予想される場合は、噴霧ヘッドを元の位置まで戻すことで、ステムから噴霧ヘッドが外れ、噴霧ヘッドを押下げても噴霧しないよう設けたものである。
【０００４】
【課題を解決するための手段】
第１の手段として、胴部２上端へ外周部を巻締め３した頂板の中央部を貫通して、下降により開弁する吐出弁を下端に有するステム４を上方付勢して起立するエアゾール缶本体１と、上記巻締め３へ、頂壁11外周から垂下する周壁12下端部を嵌着させると共に、上記ステムとステム後方部分との上方偏心頂壁部分を大きく円形に開口13して、該開口周縁からガイド筒14を垂下し、かつ頂壁11上面の前後方向直径部分に凹溝16を、開口前方凹溝部分16a は浅く、かつ開口後方凹溝部分16b は深く穿設した肩カバー10と、上記ガイド筒14内へ嵌合させた上面閉塞の摺動筒21上端から前方突設したノズル22を、該ノズル下面を溝底面に接して開口前方凹溝部分16a 内へ嵌合させると共に、該ノズルのノズル孔22a を後方延長して上記摺動筒の後部内面に縦設した内筒23の筒孔23a 上端と連続させた噴霧ヘッド20とからなり、該噴霧ヘッドを引上げ、肩カバーに対し回動させてノズル22を開口後方凹溝部分16a 内へ浅く嵌合させたとき、内筒筒孔23a の下部内へステム４が気密に、かつステム上端面が筒孔下部内面に付形した下向き段部23b に接して嵌合し、該状態からの噴霧ヘッド押下げによるステム４の下降で上記吐出弁が開弁可能に形成した。
【０００５】
第２の手段として、上記第１手段を有すると共にガイド筒14の上部内面と摺動筒21の下端部外面とに、噴霧ヘッド20引上げによりノズル22下面が肩カバー頂壁11の上面と同一ないし該上面よりも高く引上げられたとき、互いに係合する係合手段15，24を設けた。
【０００６】
【作用】
図１が示す状態でステム４は、噴霧ヘッド20のノズル孔22a と連通する内筒の筒孔23a から外れており、又噴霧ヘッド20のノズル22下面は、肩カバー10の開口前方凹溝部分16a 内の溝底面に接しているため、噴霧ヘッド20は下降できず、ステム４も肩カバー10および噴霧ヘッド20で覆われていて、該ステムが押下げられることはない。
【０００７】
上記図１の状態から図４のように噴霧ヘッド20を引上げ、かつ回動させて図５のようにノズル22を開口後方凹溝部分16b 上方まで移動し該位置で噴霧ヘッド20を押下げすると、ステム４上部は既述内筒23の下部内へ嵌合され、該状態から更に押下げするとステム４も押下げられて吐出弁が開き、該ステム、内筒23、ノズル22内を通ってエアゾール缶本体内液体が噴出され、噴霧する。
【０００８】
押下げ解放により、上方付勢されているステムが上昇すると共に吐出弁も閉じ、ステムと共に噴霧ヘッド20も上昇して図５の位置まで戻る。該状態から再び噴霧ヘッドを引上げしてステム４から外し、図１が示す初の位置まで戻すことが出来る。
【０００９】
【実施例】
本発明のエアゾール式噴霧器は、エアゾール缶本体と、肩カバーと、噴霧ヘッドとからなる。
【００１０】
エアゾール缶本体１は、従来公知のものであり、よって簡単に説明すると、胴部２上端へ頂板外周部を巻締め３し、かつ頂板中央部を貫通して下端に吐出弁を有するステム４を上方付勢して起立する。該ステムは、付勢に抗しての押下げで吐出弁が開き、缶本体内薬液がそのステム内を通って噴出し、上記押下げ解放によりステムが上昇し、かつ吐出弁が閉じて薬液噴出は停止する。
【００１１】
10は肩カバーで、上記巻締め３ヘ、頂壁11外周から垂下する周壁12下端部を回動不能に嵌着させている。頂壁11は、既述ステム４と任意に定めたステム後方部分との上方頂壁部分を偏心させて大きく円形に開口13し、該開口周縁からガイド筒14を垂下する。ガイド筒14後部と周壁12後部とは図示例のように兼用させてもよい。ガイド筒14下半は大内径化して該大内径部上端の下向き段部を、後述噴霧ヘッド抜出し防止用の係合手段15としている。
【００１２】
更に頂壁11上面の前後方向直径部分には凹溝16を、開口13の前方凹溝部分16a は浅く、かつ開口後方凹溝部分16b は深く穿設する。該凹溝部分の深さは、後述噴霧のために噴霧ヘッドのノズルが必要とする下降距離に応じて定める。
【００１３】
噴霧ヘッド20は、既述ガイド筒14内へ上下動および回動可能に嵌合させた上面閉塞の摺動筒21上端から、既述開口前方凹溝部分16a 内へ底部を嵌合させ、かつ下面を溝底面に接したノズル22を突出すると共に、該ノズルのノズル孔22a を、後方延長して上記摺動筒の後部内面に縦設した内筒23の筒孔23a 上端と連続させる。内筒23下端は摺動筒21下端と等しく設け、かつ内筒の筒孔23a 下端は大内径化して既述ステム４上部を気密に嵌合可能とし、かつその大内径部分上端にはステム上端面を係合させる下向き段部23b を付形している。摺動筒21下端外面には抜出し防止用の係合手段24を設けている。
【００１４】
噴霧ヘッド20は、図１、図３が示す状態から図４が示すように、ノズル22下面が開口前方凹溝部分16a から外れるまで肩カバー10に対して引上げ可能であり、このとき係合手段15,24 が係合して摺動筒21の抜出しが防止され、該図４の状態から噴霧ヘッド20を、ノズルが開口後方凹溝部分16b 上方へ位置するまで回動させ、該位置から噴霧ヘッドを押下げすると、図５が示すようにノズル底部が上記後方凹溝部分内へ浅く嵌合すると共にステム４上部が内筒筒孔23a の下部内へ気密に嵌合し、かつステム上端面が筒孔下部内面の下向き段部23b に接して、ステム４に対する噴霧ヘッド20の下降を不能とする。該状態から更に噴霧ヘッド20を押下げすると、ノズル22は開口後方凹溝部分16b 下方まで押下げられ、又上記下向き段部23b がステム４を押下げてステム下方の吐出弁が開き、ステム４、内筒筒孔23a 、ノズル孔22a を通って噴霧するよう設けている。
既述肩カバー10と噴霧ヘッド20とは、共に合成樹脂材でそれぞれ一体成形すればよい。
【００１５】
【発明の効果】
本発明は既述構成とするもので、噴霧ヘッド20のノズル22を開口前方凹溝部分16a 内へ嵌合させた状態では、該ノズル下面が溝底面に接するため噴霧ヘッド20の押下げが不能であると共に、ノズル孔22a と連通する内筒23の筒孔23a からステム４が外れているから、又該ステムは、エアゾール缶本体の頂板外周の巻締め３へ周壁下端を嵌着させた肩カバー10と、該肩カバー頂壁の開口周縁から垂設したガイド筒14内へ嵌合する摺動筒21付きの噴霧ヘッド20とで、覆われているため、該ステムが他物に押される等して不用意に押下げられるおそれは全くなく、よって該状態では安全に輸送等行うことが出来、又使用に際しては、噴霧ヘッド20を引上げ、かつ回動させてノズル22を開口後方凹溝部分16b 上方まで移動させて僅かに押下げるだけで内筒23の筒孔下部内へステム４上部が水密に嵌合され、かつステム上端面が筒孔23a 内面の下向き段部23b に係合するから、又上記後方凹溝部分16b は深く穿設してステムから液体噴出するまで噴霧ヘッド20を押下げ可能であるから、噴霧不能状態から噴霧可能に操作すること、およびその逆操作も容易である。又使用後に上記逆操作を行っておくことで幼児等の悪戯も防止することが出来る効果がある。又肩カバー頂壁の開口13は、ステム４とステム後方部分との上方偏心頂壁部分へ穿設してあり、かつその開口周縁から垂下するガイド筒14内へ噴霧ヘッドの摺動筒21を嵌合させて、該摺動筒上端から前方突出するノズル22のノズル孔22a を後方へ延長して、上記摺動筒の後部内面に縦設した内筒23の筒孔23a と連通させたから、図５が示すように、噴霧操作可能状態ではノズル先端部が肩カバー周壁12から後方へ突出することとなり、従って図１と図５との比較から明白であるように、肩カバー周壁外面からのノズル先端部突出長さをみることで、噴霧操作が不能な位置へ噴霧ヘッドが戻してあるか否かを見分けることが容易である。
【００１６】
請求項２の場合は上記効果を有するほか、肩カバーのガイド筒14の上部内面と噴霧ヘッドの摺動筒21下端外面とに、噴霧ヘッド引上げによりノズル22下面が肩カバー頂壁11の上面よりも高く引上げられたとき、互いに係合する係合手段15，24を設けたから噴霧ヘッドの抜出しを防止できると共に、上記係合位置でそのまま噴霧ヘッドを回動して、噴霧操作可能位置と噴霧操作不能位置とへのノズル移動を容易に行うことが出来る。
【図面の簡単な説明】
【図１】  本発明噴霧器の要部を断面とした側面図である。
【図２】  図１噴霧器の平面図である。
【図３】  図１噴霧器の正面図である。
【図４】  噴霧ヘッド引上げ状態で示す、図１噴霧器の要部を断面とした側面図である。
【図５】  噴霧ヘッド押下げにより噴霧可能にした状態で示す、図１噴霧器の要部を断面とした側面図である。
【図６】  図５噴霧器の平面図である。
【図７】  噴霧ヘッドの底面図である。
【図８】  肩カバーの斜視図である。
【符号の説明】
４…ステム                10…肩カバー                    14…ガイド筒
16a …開口前方凹溝部分    16b …開口後方凹溝部分
20…噴霧ヘッド            21…摺動筒
23…内筒
【図１】
0003638674.tif 000002
【図２】
0003638674.tif 000003
【図３】
0003638674.tif 000004
【図４】
0003638674.tif 000005
【図５】
0003638674.tif 000006
【図６】
0003638674.tif 000007
【図７】
0003638674.tif 000008
【図８】
0003638674.tif 000009